(57)【特許請求の範囲】
【請求項１】
遊技媒体を受け入れる受入手段と、
当該受入手段により受け入れられた遊技媒体を所定の方向へ案内する案内通路と、
当該案内通路の途中位置に検知用孔部を有し、前記検知用孔部を通過する遊技媒体を検知する検知手段と、
前記検知手段に設けられ、遊技媒体の検知結果を出力するために利用されるコネクタ部と、
前記検知手段に対して後方から前方へ向けて光を照射する第１発光手段と、
前記コネクタ部に対して後方から前方へ向けて光を照射する第２発光手段と、
前記検知手段及び前記コネクタ部に対して前記光の照射方向の先側に設けられ、前記検知用孔部を通過した光及び前記コネクタ部の周りを通過した光を透過可能であるとともに前記検知手段及び前記コネクタ部を前方から視認可能とする光透過手段と、
を備え、
前記検知用孔部が前後方向に延びるように構成されていることを特徴とする遊技機。
【発明の詳細な説明】
【技術分野】
【０００１】
本発明は、遊技機に関するものである。
【背景技術】
【０００２】
遊技機の一種として、パチンコ遊技機が知られている。かかる遊技機は、一般入賞装置、作動装置等の各種入賞装置を備えている。各種入賞装置には、遊技球が入賞したことを検出するための検出センサがそれぞれ設けられており、それら検出センサは、遊技の制御を行うための制御装置に電気配線を通じて接続されている。入賞口に遊技球が入賞すると、検出センサから前記制御装置に対して遊技球が入賞したことを示す信号が出力される。そして、その信号に基づいて遊技球の払い出しに関わる制御が行われ、遊技者に対して所定数の遊技球が払い出されるようになっている（例えば特許文献１参照）。
【先行技術文献】
【特許文献】
【０００３】
【特許文献１】特開２０００−７０４４６号公報
【発明の概要】
【発明が解決しようとする課題】
【０００４】
しかしながら、上述した従来の遊技機において、不正取得行為によって遊技球が不正に払い出されてしまうということが報告されている。例えば不正具を利用して検出センサに対して不正を行うことで、遊技球が入賞していないにも関わらず入賞したと検出センサに誤検出を行わせる不正行為が想定される。このような行為を発見できない状態が継続されると、それだけ遊技ホールの被害は大きなものとなってしまう。その一方、遊技ホールには多数の遊技機が設置されているため上記不正行為の有無の発見は簡易的に行えることが好ましい。
【０００５】
なお、上記問題は、パチンコ遊技機に係る構成に限定されたものではなく、他の遊技機に係る構成においても同様に発生する。
【０００６】
本発明は上記例示した事情等に鑑みてなされたものであり、遊技媒体の通過を検知する検知センサに対する不正行為を好適に発見可能な遊技機を提供することを目的とするものである。
【課題を解決するための手段】
【０００７】
本発明は、
遊技媒体を受け入れる受入手段と、
当該受入手段により受け入れられた遊技媒体を所定の方向へ案内する案内通路と、
当該案内通路の途中位置に検知用孔部を有し、前記検知用孔部を通過する遊技媒体を検知する検知手段と、
前記検知手段に設けられ、遊技媒体の検知結果を出力するために利用されるコネクタ部と、
前記検知手段に対して後方から前方へ向けて光を照射する第１発光手段と、
前記コネクタ部に対して後方から前方へ向けて光を照射する第２発光手段と、
前記検知手段及び前記コネクタ部に対して前記光の照射方向の先側に設けられ、前記検知用孔部を通過した光及び前記コネクタ部の周りを通過した光を透過可能であるとともに前記検知手段及び前記コネクタ部を前方から視認可能とする光透過手段と、
を備え、
前記検知用孔部が前後方向に延びるように構成されていることを特徴とする。
【発明の効果】
【０００８】
本発明によれば、遊技媒体の通過を検知する検知センサに対する不正行為を好適に発見可能となる。
【図面の簡単な説明】
【０００９】
【図１】第１の実施の形態におけるパチンコ機を示す正面図である。
【図２】パチンコ機の主要な構成を展開して示す斜視図である。
【図３】パチンコ機の主要な構成を展開して示す斜視図である。
【図４】遊技盤の正面図である。
【図５】入賞ユニットの前方斜視図である。
【図６】入賞ユニットの背面図である。
【図７】入賞ユニットの前方分解斜視図である。
【図８】入賞ユニットの後方分解斜視図である。
【図９】一部破断部分を含む入賞ユニットの側面図である。
【図１０】大入賞口及びその周辺を拡大して示す正面図である。
【図１１】入賞ユニットの大入賞口において、入賞扉に装飾を付していない場合の正面図である。
【図１２】パチンコ機の電気的構成を示すブロック図である。
【図１３】第２の実施の形態における下作動用の入賞検知センサ部の縦断面図である。
【図１４】第３の実施の形態における入賞ユニットの背面図である。
【図１５】第４の実施の形態における大入賞口及びその周辺を拡大して示す正面図である。
【図１６】第５の実施の形態におけるスロットマシンを示す正面図である。
【図１７】第５の実施の形態におけるメダル検出部の縦断面図である。
【発明を実施するための形態】
【００１０】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２及び図３はパチンコ機１０の主要な構成を展開して示す斜視図である。なお、図２では便宜上パチンコ機１０の遊技領域内の構成を省略している。
【００１１】
パチンコ機１０は、当該パチンコ機１０の外殻を形成する外枠１１と、この外枠１１に対して前方に回動可能に取り付けられた遊技機本体１２とを有する。外枠１１は木製の板材を四辺に連結し構成されるものであって矩形枠状をなしている。パチンコ機１０は、外枠１１を島設備に取り付け固定することにより、遊技ホールに設置される。
【００１２】
遊技機本体１２は、図２及び図３に示すように、内枠１３と、その内枠１３の前方に配置される前扉枠１４と、内枠１３の後方に配置される裏パックユニット１５とを備えている。遊技機本体１２のうち内枠１３が外枠１１に対して回動可能に支持されている。詳細には、正面視で左側を回動基端側とし右側を回動先端側として内枠１３が前方へ回動可能とされている。
【００１３】
内枠１３には、図２に示すように、前扉枠１４が回動可能に支持されており、正面視で左側を回動基端側とし右側を回動先端側として前方へ回動可能とされている。また、内枠１３には、図３に示すように、裏パックユニット１５が回動可能に支持されており、正面視で左側を回動基端側とし右側を回動先端側として後方へ回動可能とされている。
【００１４】
なお、遊技機本体１２には、図３に示すように、その回動先端部に施錠装置１６が設けられており、遊技機本体１２を外枠１１に対して開放不能に施錠状態とする機能を有しているとともに、前扉枠１４を内枠１３に対して開放不能に施錠状態とする機能を有している。これらの各施錠状態は、図１に示すように、パチンコ機１０前面にて露出させて設けられたシリンダ錠１７に対して解錠キーを用いて解錠操作を行うことにより、それぞれ解除される。
【００１５】
次に、遊技機本体１２の前面側の構成について説明する。
【００１６】
内枠１３は、図２に示すように、外形が外枠１１とほぼ同一形状をなす樹脂ベース２１を主体に構成されている。樹脂ベース２１の中央部には略楕円形状の窓孔２３が形成されている。樹脂ベース２１には遊技盤２４が着脱可能に取り付けられている。遊技盤２４は合板よりなり、遊技盤２４の前面に形成された遊技領域が樹脂ベース２１の窓孔２３を通じて内枠１３の前面側に露出した状態となっている。
【００１７】
ここで、遊技盤２４の構成を図４に基づいて説明する。図４は遊技盤２４の正面図である。
【００１８】
遊技盤２４には、ルータ加工が施されることによって前後方向に貫通する大小複数の開口部が形成されている。各開口部には入賞ユニット３０，一般入賞口３１，スルーゲート３５，可変表示ユニット３６，メイン表示部４３及び役物用表示部４４等がそれぞれ設けられている。また、入賞ユニット３０には上入賞部３３、下入賞部３４及び可変入賞部３２が設けられている。
【００１９】
遊技領域の中央位置を含むようにして可変表示ユニット３６が配置されており、さらに遊技領域の横方向の中央ライン上において可変表示ユニット３６、入賞ユニット３０がこの順序で上下に並ぶように配置されている。また、スルーゲート３５は、可変表示ユニット３６の左側に１個設けられているとともに、右側に１個設けられている。また、一般入賞口３１は、入賞ユニット３０の高さ位置において、この入賞ユニット３０の左方に２個設けられているとともに、右方に２個設けられている。
【００２０】
ちなみに、一般入賞口３１、上入賞部３３及び下入賞部３４のそれぞれは、複数の遊技球（金属球）が同時に入球することを阻止しながら、ある程度の入球頻度を確保するために、遊技球の直径よりも若干大きい開口面積を有している。
【００２１】
一般入賞口３１、可変入賞部３２、上入賞部３３及び下入賞部３４への入球が発生すると、それが遊技盤２４の背面側に配設された入賞検知センサにより検知され、その検知結果に基づいて所定数の賞球の払い出しが実行される。この場合、上入賞部３３への入球が発生した場合及び下入賞部３４への入球が発生した場合には３個の賞球の払い出しが実行され、一般入賞口３１への入球が発生した場合には１０個の賞球の払い出しが実行され、可変入賞部３２への入球が発生した場合には１５個の賞球の払い出しが実行される。但し、これら賞球の個数は任意であり、例えば上入賞部３３に係る賞球個数よりも下入賞部３４に係る賞球個数が多いといったように、両入賞部３３、３４の賞球個数が相違していてもよい。また、可変入賞部３２に係る賞球個数が他の賞球個数に比べて多い構成に限定されることはなく、例えば一般入賞口３１に係る賞球個数よりも少ない構成としてもよく、一般入賞口３１に係る賞球個数が最も多い構成としてもよい。
【００２２】
その他に、遊技盤２４の最下部にはアウト口３７が設けられており、各種入賞口等に入らなかった遊技球はアウト口３７を通って遊技領域から排出される。また、遊技盤２４には、遊技球の落下方向を適宜分散、調整等するために多数の釘３８が植設されていると共に、風車等の各種部材（役物）が配設されている。
【００２３】
ここで、入球とは、所定の開口部を遊技球が通過することを意味し、開口部を通過した際にそのまま遊技領域から排出される態様だけでなく、開口部を通過した後に遊技領域を再度流下する態様も含まれる。但し、以下の説明では、アウト口３７への遊技球の入球と明確に区別するために、一般入賞口３１、可変入賞部３２、上入賞部３３、下入賞部３４又はスルーゲート３５への遊技球の入球を、入賞とも表現する。
【００２４】
上入賞部３３及び下入賞部３４は共に上向きに開放されている。また、上から上入賞部３３，下入賞部３４，可変入賞部３２の順となるようにして両入賞部３３，３４及び可変入賞部３２は鉛直方向に並んでいる。下入賞部３４には、左右一対の可動片よりなるガイド片（サポート片）としての電動役物３４ａが設けられている。
【００２５】
電動役物３４ａは遊技盤２４の背面側に搭載された図６に図示の電動役物駆動部３４ｂに連結されており、当該電動役物駆動部３４ｂにより駆動されて閉状態（非サポート状態又は非ガイド状態）及び開状態（サポート状態又はガイド状態）のいずれかに配置される。電動役物３４ａの閉状態では遊技球が下入賞部３４に入賞できず、電動役物３４ａが開状態となることで下入賞部３４への入賞が可能となる。
【００２６】
なお、これに限定されず、下入賞部３４への遊技球の入賞が発生し易い状態と、入賞が不可ではないが上記入賞が発生し易い状態よりも入賞が発生しづらい状態とに、電動役物３４ａが切り換えられる構成としてもよい。また、電動役物３４ａを不具備とし、入賞が発生し易い状態とそれよりも入賞が発生しづらい状態との間の切り換えが、下入賞部３４自身の変位により行われる構成としてもよい。
【００２７】
可変入賞部３２は、通常は遊技球が入賞できない閉状態になっており、大当たり当選といった開閉実行モード（特別遊技状態）への移行当選となった際に、遊技球が入賞しやすい所定の開状態に切り換えられるようになっている。可変入賞部３２の開放態様として具体的には、所定時間（例えば３０秒間）の経過又は所定個数（例えば１０個）の入賞を１ラウンドとして、複数ラウンド（例えば１５ラウンド）を上限として可変入賞部３２が繰り返し開放される。
【００２８】
メイン表示部４３では、上入賞部３３又は下入賞部３４への入賞をトリガとして絵柄の変動表示が行われ、その変動表示の停止結果として、上入賞部３３又は下入賞部３４への入賞に基づいて行われた内部抽選の結果が表示によって明示される。つまり、本パチンコ機１０では、上入賞部３３への入賞と下入賞部３４への入賞とが内部抽選において区別されておらず、上入賞部３３又は下入賞部３４への入賞に基づいて行われた内部抽選の結果が共通の表示領域であるメイン表示部４３にて明示される。そして、上入賞部３３又は下入賞部３４への入賞に基づく内部抽選の結果が開閉実行モードへの移行に対応した当選結果であった場合には、メイン表示部４３にて所定の停止結果が表示されて変動表示が停止された後に、開閉実行モードへ移行する。
【００２９】
なお、メイン表示部４３は、複数のセグメント発光部が所定の態様で配列されてなるセグメント表示器により構成されているが、これに限定されることはなく、液晶表示装置、有機ＥＬ表示装置、ＣＲＴ又はドットマトリックス表示器等その他のタイプの表示装置によって構成されていてもよい。また、メイン表示部４３にて変動表示される絵柄としては、複数種の文字が変動表示される構成、複数種の記号が変動表示される構成、複数種のキャラクタが変動表示される構成又は複数種の色が切り換え表示される構成などが考えられる。
【００３０】
役物用表示部４４では、スルーゲート３５への入賞をトリガとして絵柄の変動表示が行われ、その変動表示の停止結果として、スルーゲート３５への入賞に基づいて行われた内部抽選の結果が表示によって明示される。スルーゲート３５への入賞に基づく内部抽選の結果が電役開放状態への移行に対応した当選結果であった場合には、役物用表示部４４にて所定の停止結果が表示されて変動表示が停止された後に、電役開放状態へ移行する。電役開放状態では、下入賞部３４に設けられた電動役物３４ａが所定の態様で開放状態となる。
【００３１】
可変表示ユニット３６には、絵柄の一種である図柄を変動表示（又は、可変表示若しくは切換表示）する図柄表示装置４１が設けられているとともに、図柄表示装置４１を囲むようにしてセンターフレーム４２が配設されている。図柄表示装置４１は、液晶ディスプレイを備えた液晶表示装置として構成されており、後述する表示制御装置により表示内容が制御される。なお、図柄表示装置４１は、液晶表示装置であることに限定されることはなく、プラズマディスプレイ装置、有機ＥＬ表示装置又はＣＲＴといった表示画面を有する他の表示装置であってもよく、ドットマトリクス表示器であってもよい。
【００３２】
図柄表示装置４１では、上入賞部３３又は下入賞部３４への入賞に基づいて図柄の変動表示が開始される。すなわち、メイン表示部４３において変動表示が行われる場合には、それに合わせて図柄表示装置４１において変動表示が行われる。例えば上、中及び下に並べて図柄が表示され、これらの図柄が左右方向にスクロールされるようにして変動表示されるようになっている。そして、予め設定されている有効ライン上に所定の組み合わせの図柄が停止表示された場合には、開閉実行モードが発生することとなる。
【００３３】
なお、いずれかの入賞部３３，３４への入賞に基づいて、メイン表示部４３及び図柄表示装置４１にて変動表示が開始され、所定の停止結果を表示し上記変動表示が停止されるまでが遊技回の１回に相当する。
【００３４】
センターフレーム４２の前面側における左上部分には、メイン表示部４３及び図柄表示装置４１に対応した第１保留ランプ部４５が設けられている。遊技球が上入賞部３３又は下入賞部３４に入賞した個数は最大４個まで保留され、第１保留ランプ部４５の点灯によってその保留個数が表示されるようになっている。
【００３５】
センターフレーム４２の右上部分には、役物用表示部４４に対応した第２保留ランプ部４６が設けられている。遊技球がスルーゲート３５を通過した回数は最大４回まで保留され、第２保留ランプ部４６の点灯によってその保留個数が表示されるようになっている。なお、各保留ランプ部４５，４６の機能が図柄表示装置４１の一部の領域における表示により果たされる構成としてもよい。
＜入賞ユニット３０の構成について＞
次に入賞ユニット３０の構成を図５〜図１１に基づいて説明する。
【００３６】
図５は入賞ユニット３０を前方から見た斜視図、図６は入賞ユニット３０の背面図、図７は入賞ユニット３０を前方から見た分解斜視図、図８は入賞ユニット３０を後方から見た分解斜視図、図９は一部破断部分を含む入賞ユニット３０の側面図、図１０は大入賞口２２１及びその周辺を拡大して示す正面図、図１１は入賞ユニット３０の大入賞口２２１において、入賞扉２２２に装飾を付していない場合の正面図である。
【００３７】
図５に示すように、入賞ユニット３０の上部には上入賞部３３、中央部には下入賞部３４、下部には可変入賞部３２が設けられている。各入賞部３２〜３４はベース部材２０１に対して設けられている。
【００３８】
ベース部材２０１は、ＡＢＳ樹脂等の合成樹脂で形成されている。ベース部材２０１は板状をなす板状部２０１ａを備えているとともに、当該板状部２０１ａには厚み方向に突出する部位が一体形成されている。
【００３９】
板状部２０１ａは、上下方向の中央に横幅の狭い幅狭部２５５を有しており、その上下には幅狭部２５５よりも横幅の広い幅広部が形成されている。幅狭部２５５に対して下側の幅広部２５７は上側の幅広部２５６よりも横幅が広く形成されており、横方向の中央から幅狭部２５５が起立している。幅狭部２５５は中央部分の横幅が最も狭くなっており、上下の幅広部に近づくにしたがって、横幅が広くなっている。また、板状部２０１ａの周縁部分には、フランジ２０２が形成されている。フランジ２０２は入賞ユニット３０を遊技機前方から遊技盤２４に設置する場合に、遊技盤２４へ面を押し当てるためのものである。板状部２０１ａを境界として、ベース部材２０１の前面は遊技領域内に、ベース部材２０１の背面は遊技盤２４の背面側に位置している。
【００４０】
次に上入賞部３３について説明する。
【００４１】
ベース部材２０１は上側の幅広部２５６に、厚み方向に突出した上入賞案内部２５３を有しており、上入賞案内部２５３の遊技領域において前方に突出した部分には凹形状の球受部２０３が形成されている。また、上入賞案内部２５３の背面に突出した部分は球受部２０３に連通し、ベース部材２０１の背面に向かって下方向に傾斜している。
【００４２】
上入賞案内部２５３の背面には、上入賞通路部材２０６が取り付けられている。上入賞通路部材２０６には、横方向に下り傾斜となるように底部２０７が形成されている。
【００４３】
遊技領域を流下して上入賞部３３に入賞した遊技球は、上入賞案内部２５３により後方へ誘導されるとともに、上入賞通路部材２０６によって横方向に誘導され、図示しない入賞検知センサを通って排出される。後述するように下入賞部３４及び可変入賞部３２が上入賞部３３の下方に存在しており、それらとの干渉を回避することができるように、誘導方向を横方向としている。
【００４４】
次に下入賞部３４について説明する。
【００４５】
図５に示すように、ベース部材２０１の幅狭部２５５には、下入賞部３４が設けられている。幅狭部２５５の上部には、図７に示すように前後に貫通し、一度に遊技球１個が入賞可能な大きさの下入賞案内口２１０が設けられている。ベース部材２０１の幅狭部２５５には、前方から下入賞案内口２１０を覆うようにして、役物ベース部材２１１が設けられている。
【００４６】
役物ベース部材２１１は、図８に示すように、下入賞案内口２１０をその前方にて覆う役物板状部２５８を備えている。役物板状部２５８の背面から後方に突出させて形成された支軸２１１ａに支持させるようにして電動役物３４ａが回動可能に支持されている。
【００４７】
図６に示すように、ベース部材２０１の背面側において、上入賞通路部材２０６の下方にはソレノイド及び伝達部材からなる電動役物駆動部３４ｂが設置されており、電動役物駆動部３４ｂは上入賞通路部材２０６を上側のカバーとして使用している。ソレノイドは本体とプランジャからなり、電動役物駆動部３４ｂはプランジャの移動方向が前後になるように設置され、上入賞通路部材２０６とベース部材２０１にネジで共締めされ固定されている。ソレノイドが励磁されている場合はプランジャが吸引状態となり、非励磁の場合は伸張状態となる。電動役物駆動部３４ｂは、励磁時には電動役物３４ａを開状態（サポート状態又はガイド状態）に、非励磁時には閉状態（非サポート状態又は非ガイド状態）に配置する。
【００４８】
図８に示すように、下入賞部３４に入賞した遊技球は下入賞案内口２１０を通り、ベース部材２０１の背面に形成された下入賞案内通路２１３へと誘導される。下入賞案内通路２１３は、ベース部材２０１の背面に向かって下方向に傾斜する下入賞案内底部２５９と、下入賞案内底部２５９から上方に向けて起立するように形成された案内側壁２１４とにより形成されている。下入賞案内通路２１３の天井部分としては、電動役物駆動部３４ｂのソレノイドの底面が使用されている。下入賞案内通路２１３の案内先には下入賞排出部材２１７が設けられている。下入賞排出部材２１７はベース部材２０１に対してその背面側からネジ止めされており、下入賞案内通路２１３により案内された遊技球を下方向へと排出させる奥壁２１８を形成している。
【００４９】
下入賞排出部材２１７は、ベース部材２０１において下入賞案内底部２５９の下方にて後方へと起立させて形成された起立壁部２６８とともに、下入賞用の排出通路２１９を形成するものである（下入賞用の排出通路２１９については図６参照）。下入賞用の排出通路２１９は、下入賞案内通路２１３の最下流部から鉛直下方に延びるように形成されており、その途中位置に下入賞検知センサ２１６が設けられている。下入賞検知センサ２１６は、磁気検知タイプの近接センサであり、本体部２６９においてその厚み方向に貫通させて形成された貫通孔２７０を遊技球が通過した場合に、コネクタ部２７１を介して通過検知信号を出力する。
【００５０】
なお、下入賞検知センサ２１６は磁気検知タイプの近接センサに限定されることはなく、遊技球を検知することができるのであれば任意であり、例えば、フォトセンサなどを用いてもよい。
【００５１】
下入賞検知センサ２１６は、ベース部材２０１の起立壁部２６８と、下入賞排出部材２１７とにより形成されたセンサ装着部２１５に装着されている。センサ装着部２１５について詳細には、センサ装着部２１５は、パチンコ機１０後方に向けて開放された装着空間を規定しており、この装着空間に対して下入賞検知センサ２１６が背面側から挿入されている。この挿入方向は、下入賞検知センサ２１６のコネクタ部２７１が挿入元側となる方向であり、コネクタ部２７１は、センサ装着部２１５よりも後方に突出するとともに入賞ユニット３０の背面にて露出している。このようにコネクタ部２７１を露出させることで、下入賞検知センサ２１６に対する電気配線の接続作業の容易化が図られる。
【００５２】
下入賞検知センサ２１６は貫通孔２７０の軸線が縦方向となるように装着されており、当該貫通孔２７０は下入賞用の排出通路２１９の一部を構成している。この場合に、上記装着空間の天井部分は下入賞案内底部２５９により規定されており、下入賞検知センサ２１６の上面はこの下入賞案内底部２５９に近接している。このように下入賞検知センサ２１６が設置されていることにより、貫通孔２７０を下入賞用の排出通路２１９における入口部分に配置することが可能となる。
【００５３】
なお、センサ装着部２１５には、下入賞検知センサ２１６を挿入するための挿入用開口の周縁部からパチンコ機１０後方へと起立させてフック部２２０が形成されており、このフック部２２０が下入賞検知センサ２１６の本体部２６９に対して挿入元側から係合することで、下入賞検知センサ２１６の抜けが防止されている。
【００５４】
次に可変入賞部３２について詳細に説明する。
【００５５】
図５に示すように、ベース部材２０１の板状部２０１ａの下側の幅広部２５７に可変入賞部３２が設けられており、ベース部材２０１を前後方向に貫通する大入賞口２２１が形成されている。
【００５６】
図７に示すように、大入賞口２２１は横長の矩形状をなしており、横幅として遊技球２個分以上の幅を有しており、具体的には、６個分となっている。また、縦幅としては、遊技球１個分以上であって２個分未満となっており、具体的には遊技球１個分よりも若干大きい程度となっている。
【００５７】
この大入賞口２２１を前後に挟むようにして複数の部材３２ａ，２２２〜２６７がベース部材２０１に対して一体化されていることにより、可変入賞部３２が構成されている。これら複数の部材３２ａ，２２２〜２６７の一つとして、大入賞口２２１を開閉するための入賞扉２２２が設けられている。入賞扉２２２は、ベース部材２０１の背面に固定された第１案内部材２２４に回動可能に支持されている。詳細には、第１案内部材２２４の前面には、大入賞口２２１側へと突出させて左右一対の軸孔部２２７が一体形成されており、当該軸孔部２２７に１対１で対応させて入賞扉２２２の左右両縁にも左右一対の軸孔部２２８が形成されている。そして、それぞれ対応する軸孔部２２７，２２８が同一軸線上となるように入賞扉２２２が配置された状態で、それぞれ対応する軸孔部２２７，２２８に対して図示しない支軸が挿通固定されていることで、入賞扉２２２は下部において横方向に延びる回動軸を中心に前後に回動可能とされている。
【００５８】
入賞扉２２２は、大入賞口２２１よりも面積が大きく設定されており、入賞扉２２２が起立した閉鎖状態においては大入賞口２２１の全体を閉塞して当該大入賞口２２１への遊技球の流入を阻止する。一方、閉鎖状態よりもパチンコ機１０前方に向けて回動して図示しないストッパによりそれ以上の回動が阻止された開放状態においては大入賞口２２１の全体を開放して当該大入賞口２２１への遊技球の流入を許容する。かかる入賞扉２２２の閉鎖状態と開放状態との間の遷移は、第１案内部材２２４よりもパチンコ機１０後側に設けられた可変入賞駆動部３２ａにより駆動されることで行われる。
【００５９】
可変入賞駆動部３２ａは、ソレノイドによって構成されており、ソレノイドは本体とプランジャからなり、可変入賞駆動部３２ａはプランジャの移動方向が前後になるように設置されている。ソレノイドが励磁されている場合はプランジャが吸引状態となり、非励磁の場合は伸張状態となる。この動作を入賞扉２２２と可変入賞駆動部３２ａの間に設けられた伝達部材２４９を介して入賞扉２２２に伝えることで、入賞扉２２２の開閉動作を行う。具体的には、可変入賞駆動部３２ａは、励磁時には入賞扉２２２を開放状態（サポート状態又はガイド状態）に、非励磁時には閉鎖状態（非サポート状態又は非ガイド状態）に配置する。
【００６０】
入賞扉２２２の前方には可変入賞部３２の装飾としてゲート部材２２３が設けられている。ゲート部材２２３は、板状部２７６と板状部２７６の背面からベース部材２０１へと突出する左右一対の柱状部２７７とが一体形成されている。板状部２７６は、入賞扉２２２を前方から覆うようにして設けられており、入賞扉２２２よりも面積が大きく設定されている。柱状部２７７は、ベース部材２０１の背面側からベース部材２０１に対してネジで固定されている。板状部２７６と大入賞口２２１との距離は、遊技球１個分以上であって、２個分未満となっており、さらにその距離は入賞扉２２２の開閉をゲート部材２２３が阻害しない距離に設定されている。
【００６１】
次に大入賞口２２１に入賞した遊技球の流下通路の構成について説明する。
【００６２】
大入賞口２２１に入賞した遊技球の流下通路は、既に説明した第１案内部材２２４を含めて、ベース部材２０１の背面側において前後方向に並設された各部材２２４〜２３８により区画形成されている。これら各部材２２４〜２３８のうち第１案内部材２２４が最も前方に位置しており、第１案内部材２２４はベース部材２０１に対して背面側からネジ固定されている。
【００６３】
第１案内部材２２４は横長に形成されており、その横寸法はベース部材２０１における下側の幅広部２５７よりも若干短い程度となっている。第１案内部材２２４には、前後方向に貫通する導入用孔部２２５が形成されている。導入用孔部２２５は、大入賞口２２１と同一又は略同一の形状及び開口面積を有しており、大入賞口２２１の全体又は略全体に対してパチンコ機１０後側から重なっている。
【００６４】
導入用孔部２２５の一部をパチンコ機１０後側から閉塞するようにして第２案内部材２３２が設けられている。第２案内部材２３２は、第１案内部材２２４と同様に横長に形成されており、大入賞口２２１側を向く閉塞用壁部２２９により、導入用孔部２２５の一部をパチンコ機１０後側から閉塞している。
【００６５】
ここで、導入用孔部２２５の周縁部において当該導入用孔部２２５の底側を規定する導入用底部２６３は、横方向の一方に向けて下り傾斜となっている。また、閉塞用壁部２２９には、導入用底部２６３において最も低位となった箇所の奥側位置に前後方向に貫通する規制用孔部２３０が形成されている。規制用孔部２３０は、複数の遊技球を同時に通過させることを不可とする大きさ、より詳細には遊技球１個分よりも若干大きく形成されている。このように導入用孔部２２５及び閉塞用壁部２２９が形成されていることにより、大入賞口２２１に入球した遊技球は、先ず閉塞用壁部２２９により後方への移動が規制された状態で導入用底部２６３上を下り、規制用孔部２３０の位置に誘導される。そして、規制用孔部２３０を１個ずつ通過することとなる。
【００６６】
図９に示すように、規制用孔部２３０に達した遊技球は、第２案内部材２３２の後方に設けられている排出部材２３８を用いて形成された可変入賞用の排出通路２２６に流入する。可変入賞用の排出通路２２６は、通路方向に対して直交する方向に複数の遊技球が同時に並ばないように形成されている。
【００６７】
可変入賞用の排出通路２２６は、規制用孔部２３０から続くとともにパチンコ機１０後側に向けて下り傾斜した通路領域２２６ａと、当該通路領域２２６ａの最下流部から下方へと延びる通路領域２２６ｂとを備えている。この場合に、前者の通路領域２２６ａに可変入賞検知センサ２３３が設けられている。
【００６８】
図８に示すように、可変入賞検知センサ２３３は四角箱状のハウジング２３５を備えている。ハウジング２３５の表裏一対の各板面は長方形状をなしており、一方の短辺部側に偏倚させて検知用孔部２６６が形成されている。検知用孔部２６６は、ハウジング２３５を厚み方向に貫通しており、その開口面積は１個の遊技球は通過可能であるが２個の遊技球が軸線方向に対して直交する方向に並んだ状態での通過は不可とする大きさとなっている。具体的には、検知用孔部２６６は横断面が円形状となっており、その孔径は遊技球の直径よりも若干大きい程度となっている。
【００６９】
検知用孔部２６６を遊技球が通過したことを検知するためのセンサ基板（図示略）が、検知用孔部２６６に並設させるようにしてハウジング２３５に内蔵されている。また、このセンサ基板に対して電気配線を持続するためのコネクタ部２６２は、検知用孔部２６６が設けられた側の端部とは逆側の端部から外方に突出させて設けられている。
【００７０】
ここで、ハウジング２３５は、複数のケース部材２６０，２６１を組み合わせることで形成されているが、少なくとも表裏一対の板面のうち一方の板面を形成する側のケース部材２６０は内部を視認不可とするように着色（例えば黒色）された合成樹脂により形成されているのに対して、他方の板面の少なくとも一部を形成する側のケース部材２６１は内部を視認可能とするように透明（例えば無色透明）に形成されている。これにより、メンテナンスなどに際して、センサ基板の目視確認を行い易くなっている。
【００７１】
上記構成の可変入賞検知センサ２３３は、検知用孔部２６６を遊技球が通過した際の磁界の変化を検知することで、遊技球の通過を検知する磁気検知タイプの近接センサである。可変入賞検知センサ２３３は、遊技球の通過を検知していない状態ではコネクタ部２６２を通じて非検知信号であるＨＩレベル信号を出力し、遊技球の通過を検知している状態ではコネクタ部２６２を通じて検知信号であるＬＯＷレベル信号を出力する。なお、ＨＩレベル及びＬＯＷレベルの関係が逆であってもよい。
【００７２】
可変入賞検知センサ２３３は、既に説明したとおり、図９に示す可変入賞用の排出通路２２６のうちパチンコ機１０後側に向けて下り傾斜した通路領域２２６ａに設けられている（以下、通路領域２２６ａを傾斜領域２３１ともいう）。この場合、検知用孔部２６６の軸線方向が傾斜領域２３１の通路方向と同様に傾斜した方向となるように、可変入賞検知センサ２３３が設置されている。具体的には、可変入賞検知センサ２３３は、検知用孔部２６６が前後方向に延びるように設置されている。
【００７３】
このように可変入賞検知センサ２３３が設置された構成においては、検知用孔部２６６の周面において下側となる領域が傾斜領域２３１の底面の一部を構成する。かかる構成において、検知用孔部２６６とそれよりも上流側とで、傾斜領域２３１の底面に段差が生じないように、可変入賞検知センサ２３３の位置が設定されている。また、可変入賞検知センサ２３３は、傾斜領域２３１の途中位置ではなく、最下流部にて当該傾斜領域２３１を形成するように設けられている。傾斜領域２３１に可変入賞検知センサ２３３が設けられていることにより、大入賞口２２１に入賞した遊技球を早期に検知することが可能となる。
【００７４】
傾斜領域２３１に対して上流側にて連続する規制用孔部２３０が大入賞口２２１の横方向の一端側に設けられていることに対応させて、可変入賞検知センサ２３３の検知用孔部２６６も当該大入賞口２２１の一端側の領域に対して後方に存在している。また、可変入賞検知センサ２３３は、ハウジング２３５において検知用孔部２６６と並設された領域が大入賞口２２１の横方向の中央側に対して後方に存在するように設置されている。つまり、可変入賞検知センサ２３３は、検知用孔部２６６だけでなくコネクタ部２６２も大入賞口２２１に対して後方にて重なるように設置されている。
【００７５】
なお、可変入賞検知センサ２３３は、有色不透明に形成されたケース部材２６０により形成された板面がパチンコ機１０前方を向くように設置されている。これにより、遊技者にとってはセンサ基板が視認不可となる。
可変入賞検知センサ２３３は、第２案内部材２３２の後方に設けられた押さえ部材２３６により、ハウジング２３５においてセンサ基板を収容している領域が第２案内部材２３２の背面に押さえつけられていることにより固定されている。なお、押さえ部材２３６は、上述した排出部材２３８が、第１案内部材２２４において第２案内部材２３２の横方を通るように形成された左右一対のボス２３９にネジ止めされていることにより、排出部材２３８と第２案内部材２３２とにより前後に挟持されている。
【００７６】
以上のように形成された可変入賞部３２においては、入賞扉２２２が閉鎖状態である場合には大入賞口２２１への遊技球の入賞が不可となる。一方、入賞扉２２２が開放状態となった場合には、大入賞口２２１への遊技球の入賞が可能となり、大入賞口２２１に入賞した遊技球は、導入用孔部２２５の底面上を下ることで規制用孔部２３０に誘導され、当該規制用孔部２３０を１個ずつ通過する。そして、規制用孔部２３０を通過した遊技球は、可変入賞用の排出通路２２６を通過する。この通過する遊技球は、排出通路２２６における傾斜領域２３１の最下流部にて可変入賞検知センサ２３３により検知された後に、排出通路２２６における縦方向（具体的には鉛直方向）の通路領域２２６ｂを下る。そして、当該通路領域２２６ｂから、裏パックユニット１５に設けられた排出通路盤７５ｂへと誘導される。
【００７７】
ここで、当該縦方向の通路領域２２６ｂが形成された排出部材２３８は、図７に示すように第１案内部材２２４、第２案内部材２３２と同様横長に形成されている。排出部材２３８において縦方向の通路領域２２６ｂは、横方向の端部側に設けられており、その横方には、下入賞用の排出通路２１９の下流側を構成する下流領域２４１が形成されている。
【００７８】
下流領域２４１は、縦方向、詳細には鉛直方向に延びており、下入賞排出部材２１７の最下流部から鉛直下方に延びるように形成されている。下入賞部３４に入賞した遊技球は既に説明したように、パチンコ機１０の前後方向に形成された下入賞案内底部２５９によりパチンコ機１０後方へ案内される。その後、下入賞排出部材２１７によって形成された鉛直下方向の通路により下方へ排出される。ここで、当該鉛直下方向の通路は可変入賞検知センサ２３３の後方に設けられた通路領域２２６ｂと横方向に並ぶ位置に設けられている。このように設けられた下入賞排出部材２１７の最下端部に下流領域２４１が連通されていることで、下入賞用の排出通路２１９を形成している。
【００７９】
図８に示すように、下入賞排出部材２１７の背面側の下端部には、下方に突出し、さらにその先端部からパチンコ機１０前方へ突出形成された連結フック部２７８を有している。連結フック部２７８は複数設けられており、排出部材２３８の背面側において下流領域２４１を横方向に挟む位置に設けられている。また、排出部材２３８において連結フック部２７８と前方に重なる領域に、排出部材２３８の一部をパチンコ機１０後方に開放した連結開口部２７９が設けられている。連結開口部２７９は、連結フック部２７８と１対１で対応させて設けられており、連結フック部２７８をパチンコ機１０後方から挿入可能となっている。連結フック部２７８が連結開口部２７９に挿入されていることにより、下入賞排出部材２１７が排出部材２３８に固定されている。
【００８０】
また、排出部材２３８には、下流領域２４１を間に挟むようにして上記縦方向の通路領域２２６ｂに対して反対側の端部側に、可変入賞駆動部３２ａを取り付けるための取付部２４０が形成されている。取付部２４０は排出部材２３８からパチンコ機１０後方に突出した側壁２７２、底部２７３及び奥壁２７４により形成されている。取付部２４０は、パチンコ機１０前方に向けて開放された取付空間を規定しており、この取付空間に対して可変入賞駆動部３２ａが前面側から挿入されている。この挿入方向は可変入賞駆動部３２ａのソレノイド用のコネクタ部２７５が挿入先となる方向であり、コネクタ部２７５は取付部２４０よりも後方に突出するとともに入賞ユニット３０の背面にて露出している。このようにコネクタ部２７５を露出させることで、可変入賞駆動部３２ａに対する電気配線の接続作業の容易化が図られる。取付部２４０は、排出部材２３８において縦方向の通路領域２２６ｂ及び下流領域２４１が形成された箇所の背面よりもパチンコ機１０後方に張り出している。
【００８１】
上記のように縦方向の通路領域２２６ｂと、下流領域２４１と、取付部２４０とが横方向に並設されていることにより、入賞ユニット３０の小型化が図られている。また、複数の入賞口が上下方向に一体化された入賞ユニット３０において、上下方向の寸法が厚み方向の寸法に対して長くなることにより、厚み方向の強度が低下する恐れがある。これに対し、連結フック部２７８及び連結開口部２７９によって、下入賞排出部材２１７が排出部材２３８に固定されることで、入賞ユニット３０の厚み方向の強度低下を抑制可能となる。また、下入賞用の排出通路２１９のうち鉛直下方向に延びる下流領域２４１は排出部材２３８において通路領域２２６ｂと並設され、図９に示すように可変入賞検知センサ２３３よりもパチンコ機１０後方に設けられている。このため、パチンコ機１０前方から可変入賞検知センサ２３３を視認し易くなる。
【００８２】
次に、入賞ユニット３０に設けられた発光基板２４３について説明する。
【００８３】
図７に示すように、排出部材２３８の背面側には、発光基板２４３が取り付けられている。発光基板２４３は略矩形状をなしており、排出部材２３８において縦方向の通路領域２２６ｂ及び下流領域２４１が形成された箇所の背面に設けられており、取付部２４０に対しては横並びとなっている。発光基板２４３の一方の板面には発光体としてＬＥＤ２４４が搭載されており、その板面がパチンコ機１０前方を向くように発光基板２４３が設置されている。
【００８４】
図１０に示すように、ＬＥＤ２４４は、横方向及び縦方向に並べて複数設けられており、その設置箇所として、可変入賞検知センサ２３３における検知用孔部２６６の後方位置と、可変入賞検知センサ２３３におけるコネクタ部２６２の後方位置とが含まれている。また、コネクタ部２６２よりも大入賞口２２１の中央側領域に対する後方位置も含まれている。
【００８５】
ＬＥＤ２４４の前方に設けられた排出部材２３８、第２案内部材２３２、第１案内部材２２４、入賞扉２２２及びゲート部材２２３は、パチンコ機１０前方から窓部２３４を通じてＬＥＤ２４４の光を視認可能となるように光透過性部材で形成されている。詳細には、無色透明に形成されている。これにより、ＬＥＤ２４４から照射された光を、パチンコ機１０前方から視認することが可能となる。また、検知用孔部２６６の後方位置にＬＥＤ２４４が設けられていることにより、大入賞口２２１の略半分に対して重ねるように起立させて可変入賞検知センサ２３３が設置された構成において、ＬＥＤ２４４の光が入賞扉２２２に達し易くなる。また、発光基板２４３は、排出部材２３８の背面からパチンコ機１０後側に向けて突出するように一体形成されたボス２６７にネジ止めされている。このようにボス２６７に対して固定されていることで、発光基板２４３を入賞扉２２２に対して後方へと離間させることが可能となり、ＬＥＤ２４４の光を拡散させて入賞扉２２２の広範囲を照射することが可能となる。さらにまた、可変入賞用の排出通路２２６において傾斜領域２３１と縦方向の通路領域２２６ｂとの間の曲がり部よりもパチンコ機１０後側から光を照射可能となっている。
【００８６】
なお、発光基板２４３の背面には基板を保護する基板カバー２４５が取り付けられている。また、発光体はＬＥＤに限定されることなく、蛍光灯又は有機ＥＬ等であってもよい。
【００８７】
パチンコ機１０では各種入賞検知センサに対して様々な不正行為が想定される。当該不正行為について具体的には、可変入賞検知センサ２３３の下流側に不正具が配置される。不正具には遊技球が通過可能な通過部としての貫通孔が形成されており、さらにその周囲に沿うようにしてコイルが内蔵されているとともに、当該コイルへ電流を供給するための回路が内蔵されている。この場合、不正具はその貫通孔の中心軸線が可変入賞検知センサ２３３の検知用孔部２６６の中心軸線と同一直線上に位置するようにし、さらに貫通孔が検知用孔部２６６と連通されるように配置される。この状態で、不正具のコイルに電流を流し磁束を生じさせることで、検知用孔部２６６を遊技球が通過したと可変入賞検知センサ２３３に誤検知させることが可能となる。
【００８８】
これに対して、大入賞口２２１の後方位置にて検知用孔部２６６が前後方向に延びるように可変入賞検知センサ２３３を起立させて設けるとともに、当該検知用孔部２６６の後方位置からパチンコ機１０前方に向けて光を照射するように発光体が設けられていることにより、ホール管理者は検知用孔部２６６に不正具が設置された場合に不正を発見しやすくなる。また、可変入賞検知センサ２３３のコネクタ部２６２が大入賞口２２１の後方位置となるように可変入賞検知センサ２３３を設けるとともに、当該コネクタ部２６２の後方位置からパチンコ機１０前方に向けて光を照射するように発光体が設けられていることにより、検知用孔部２６６だけでなくコネクタ部２６２に対する不正についても発見しやすくなる。
【００８９】
図１０に示すように、入賞扉２２２の前面には、光非透過性部材で形成された装飾が付されている。その装飾領域は、入賞扉２２２において可変入賞検知センサ２３３の前方に存在している領域については、コネクタ部２６２及び検知用孔部２６６に対してパチンコ機１０前側にて重ならない領域となっている。一方、入賞扉２２２において可変入賞駆動部３２ａの前方に存在している領域については、可変入賞駆動部３２ａの略全体を覆う領域となっている。これらの装飾は、検知用孔部及びコネクタ部２６２の前方を覆う領域に付す場合、光透過性部材による装飾でパチンコ機１０前方から可変入賞部３２内が視認可能であれば付してもよい。ここで、ベース部材２０１は不透明な部材で形成されており、大入賞口２２１の開口の周縁を通じて奥を視認することは不可となっている。
【００９０】
上記のように装飾を入賞扉２２２に対して付すことで、検知用孔部２６６の下流及びコネクタ部２６２に対して不正具が設置された場合に視認可能としつつ、装飾性の低下を防ぐことが可能となる。また、開閉可能な入賞扉２２２に上記構成を適用することで、不正と疑わしい行為を発見した場合に開放状態における検知用孔部２６６を確認することにより、閉鎖状態よりも視認性を向上させることができる。
【００９１】
なお、入賞扉２２２の装飾は必須ではなく、図１１に示すように、透明部材に装飾を付していないものを入賞扉２２２としてもよい。また、ゲート部材２２３において可変入賞検知センサ２３３の前方に存在している領域については、コネクタ部２６２及び検知用孔部２６６に対してパチンコ機１０前側にて重ならない領域や、可変入賞駆動部３２ａを前方から覆う領域に装飾を付す構成としてもよい。
【００９２】
以上の入賞ユニット３０の構成により、ベース部材２０１に対して、可変入賞部３２、上入賞部３３及び下入賞部３４を一体化することが可能となっている。一体化することで、構成部品が少なくなり組み立てが容易となり、遊技盤２４への取り付けも容易となる。また、ベース部材２０１に上入賞部３３下入賞部３４が一体形成されることで入賞部間の上下方向の寸法を短くすることが可能となる。また、可変入賞検知センサ２３３を検知用孔部２６６が前後方向となるように配置することで可変入賞部３２において、可変入賞検知センサ２３３の厚み分だけ上下方向の寸法を短くすることが可能となる。これらにより入賞ユニット３０の上下方向において、遊技領域における割合を小さくすることが可能となる。遊技領域における入賞ユニット３０の占める領域を減らすことで、減らした分の領域をその他の表示装置、装飾、役物などの用途に利用できる。
【００９３】
図４に示すように、遊技盤２４には、内レール部４８と外レール部４９とが取り付けられており、これら内レール部４８と外レール部４９とにより誘導レールが構成され、遊技球発射機構５１から発射された遊技球が遊技領域の上部に案内されるようになっている。なお、内レール部４８及び外レール部４９は遊技領域を区画する機能も有している。
【００９４】
遊技球発射機構５１は、図２に示すように、樹脂ベース２１における窓孔２３の下方に取り付けられており、誘導レールに向けて延びる発射レール５２と、後述する上皿６１ａに貯留されている遊技球を発射レール５２上に供給する球送り装置５３と、発射レール５２上に供給された遊技球を誘導レールに向けて発射させる電動アクチュエータであるソレノイド５４と、を備えている。前扉枠１４に設けられた発射操作装置５５が操作されることにより、球送り装置５３が駆動制御されて１個の遊技球が発射レール５２上の球待機位置に配置されるとともに、ソレノイド５４が駆動制御されて、発射レール５２上に配置された遊技球が発射される。
【００９５】
内枠１３の前面側全体を覆うようにして前扉枠１４が設けられている。前扉枠１４には、図１に示すように、遊技領域のほぼ全域を前方から視認することができるようにした窓部５６が形成されている。窓部５６は、略楕円形状をなし、窓パネル５７が嵌め込まれている。窓パネル５７は、ガラスによって無色透明に形成されているが、これに限定されることはなく合成樹脂によって無色透明に形成されていてもよく、パチンコ機１０前方から窓パネル５７を通じて遊技領域を視認可能であれば有色透明に形成されていてもよい。
【００９６】
窓部５６の周囲には、各種ランプ部等の発光手段が設けられている。各種ランプ部の一部として表示ランプ部５８ａが窓部５６の上方に設けられている。また、表示ランプ部５８ａの左右両側であって前扉枠１４の上側の隅角部分には左右一対のエラーランプ部５８ｂが設けられている。また、エラーランプ部５８ｂに隣接させて、遊技状態に応じた効果音などが出力される左右一対のスピーカ部５９が設けられている。
【００９７】
前扉枠１４における窓部５６の下方には、手前側へ膨出した上側膨出部６１と下側膨出部６２とが上下に並設されている。上側膨出部６１内側には上方に開口した上皿６１ａが設けられており、下側膨出部６２内側には同じく上方に開口した下皿６２ａが設けられている。
【００９８】
上皿６１ａは、後述する払出装置より払い出された遊技球を一旦貯留し、一列に整列させながら遊技球発射機構５１側へ導く機能を有する。この場合、前扉枠１４には上皿６１ａの出口から連続し、内枠１３の球送り装置５３へと延びる図示しない発射誘導用通路が形成されているが、当該発射誘導用通路の出口部分には、図２に示すように、シャッタ６３が設けられている。当該シャッタ６３は、前扉枠１４を閉状態とした場合には内枠１３に形成された図示しない押圧部により押圧されて開放位置に配置され、球送り装置５３への遊技球の流入を可能とする。一方、前扉枠１４を開状態とした場合には、上記押圧部による押圧が解除されるため、シャッタ６３が閉鎖位置に配置され、上皿６１ａからの遊技球の流出が阻止される。下皿６２ａは、上皿６１ａ内にて余剰となった遊技球を貯留する機能を有する。
【００９９】
次に、遊技機本体１２の背面側の構成について説明する。
【０１００】
図３に示すように、内枠１３（具体的には、遊技盤２４）の背面には、遊技の主たる制御を司る主制御装置７１と、音声やランプ表示及び図示しない表示制御装置の制御を司る音声発光制御装置７２と、が搭載されている。
【０１０１】
なお、主制御装置７１の基板ボックス７１ａに対して、その開放の痕跡を残すための痕跡手段を付与する又はその開放の痕跡を残すための痕跡構造を設けてもよい。当該痕跡手段としては、基板ボックス７１ａを構成する複数のケース体を分離不能に結合するとともにその分離に際して所定部位の破壊を要する結合部（カシメ部）の構成や、引き剥がしに際して粘着層が接着対象に残ることで剥がされたことの痕跡を残す封印シールを複数のケース体間の境界を跨ぐようにして貼り付ける構成が考えられる。また、痕跡構造としては、基板ボックス７１ａを構成する複数のケース体間の境界に対して接着剤を塗布する構成が考えられる。
【０１０２】
主制御装置７１や音声発光制御装置７２を含めて内枠１３の背面側を覆うようにして裏パックユニット１５が設置されている。裏パックユニット１５は、図３に示すように、透明性を有する合成樹脂により形成された裏パック７３を備えており、当該裏パック７３に対して、払出機構部７４及び制御装置集合ユニット７５が取り付けられている。
【０１０３】
払出機構部７４は、遊技場の島設備から供給される遊技球が逐次補給されるタンク７６と、当該タンク７６に貯留された遊技球を払い出すための払出装置７７と、を備えている。払出装置７７より払い出された遊技球は、当該払出装置７７の下流側に設けられた払出通路を通じて、上皿６１ａ又は下皿６２ａに排出される。なお、払出機構部７４には、例えば交流２４ボルトの主電源が供給されるとともに、電源のＯＮ操作及びＯＦＦ操作を行うための電源スイッチを有する裏パック基板が搭載されている。
【０１０４】
制御装置集合ユニット７５は、払出装置７７を制御する機能を有する払出制御装置７８と、各種制御装置等で要する所定の電力が生成されて出力されるとともに遊技者による発射操作装置５５の操作に伴う遊技球の打ち出しの制御が行われる電源及び発射制御装置７９と、を備えている。これら払出制御装置７８と電源及び発射制御装置７９とは、払出制御装置７８がパチンコ機１０後方となるように前後に重ねて配置されている。
【０１０５】
制御装置集合ユニット７５において電源及び発射制御装置７９が搭載されることとなる搭載部７５ａには、排出通路盤７５ｂが形成されている。既に説明したとおり、遊技盤２４の背面に設けられた図示しない回収通路にて回収された遊技球は、当該排出通路盤７５ｂに導出されて、当該排出通路盤７５ｂに導かれることで最終的に遊技ホールの球送り機構に排出される。
＜パチンコ機１０の電気的構成＞
図１２は、パチンコ機１０の電気的構成を示すブロック図である。なお、電源及び発射制御装置７９から主制御装置７１及び払出制御装置７８への動作電力の供給ラインを二重線矢印で示し、それ以外の供給ラインや信号ラインを実線矢印で示す。
【０１０６】
主制御装置７１は、遊技の主たる制御を司る主制御基板９１と、電源を監視する停電監視基板（電断監視基板）９６と、を具備している。主制御基板９１には、ＭＰＵ９２が搭載されている。ＭＰＵ９２には、ＲＯＭ９３及びＲＷＭ９４が内蔵されている。
【０１０７】
ＲＯＭ９３は、ＭＰＵ９２により実行される各種の制御プログラムや固定値データを記憶している。ＲＷＭ９４は、ＲＯＭ９３内に記憶されている制御プログラムの実行に際して各種のデータ等を一時的に記憶する。また、ＭＰＵ９２又は主制御基板９１には、上記素子以外に、割込回路、タイマ回路、データ入出力回路などが設けられている。
【０１０８】
ＭＰＵ９２には、入力ポート及び出力ポートがそれぞれ設けられている。ＭＰＵ９２の入力側及び出力側には、各種制御装置が接続されているとともに、各種センサ、各種駆動部及び各種表示部が接続されている。
【０１０９】
ＭＰＵ９２の入力側には、遊技領域の可変入賞部３２、及び下入賞部３４に対して設けられた可変入賞検知センサ２３３及び下入賞検知センサ２１６が電気配線を介して電気的に接続されている。なお、図示は省略するが、一般入賞口３１、上入賞部３３、スルーゲート３５に対して設けられた入賞検知センサも電気的に接続されている。
【０１１０】
ＭＰＵ９２では、各入賞検知センサ２１６、２３３から信号を受信し、その受信結果に基づいて各入賞部への入賞判定（入球判定）が行われる。この場合、一般入賞口３１、可変入賞部３２、上入賞部３３又は下入賞部３４への入賞を特定した場合には、各入賞対象に対応した遊技球の払い出しが実行されるようにするための処理を実行する。また、上入賞部３３又は下入賞部３４への入賞を特定した場合には、所定の更新タイミングとなる度に数値情報の更新が行われる各種カウンタから数値情報を取得して保留情報として記憶するとともに、保留情報が記憶されている場合には、可変入賞部３２が複数回に亘って開閉される開閉実行モードに移行させるか否かの当否判定や当該開閉実行モード後の遊技状態を決定するための振分判定を行う。そして、それら当否判定や振分判定の結果に基づいて、遊技を進行させる。
【０１１１】
ＭＰＵ９２の出力側には、可変入賞部３２を開閉動作させる可変入賞駆動部３２ａと、可変入賞部３２の後方から光を照射する発光基板２４３と、下入賞部３４の電動役物３４ａを開閉動作させる電動役物駆動部３４ｂと、が電気配線を介して電気的に接続されている。また、ＭＰＵ９２の出力側には、メイン表示部４３と、役物用表示部４４と、が電気配線を介して電気的に接続されている。主制御基板９１には各種ドライバ回路が設けられており、当該ドライバ回路を通じてＭＰＵ９２は各種駆動部３２ａ，３４ｂの駆動制御を実行するとともに各種表示部４３，４４の表示制御を実行する。
【０１１２】
つまり、開閉実行モードにおいては可変入賞部３２が開閉されるように、ＭＰＵ９２において可変入賞駆動部３２ａの駆動制御が実行される。また、電動役物３４ａの開放状態当選となった場合には、電動役物３４ａが開閉されるようにＭＰＵ９２において電動役物駆動部３４ｂの駆動制御が実行される。また、各遊技回に際しては、ＭＰＵ９２においてメイン表示部４３の表示制御が実行される。また、電動役物３４ａを開放状態とするか否かの抽選結果を明示する場合に、ＭＰＵ９２において役物用表示部４４の表示制御が実行される。
【０１１３】
ここで、ＭＰＵ９２は、パチンコ機１０の電源オン時に発光基板２４３からの光の照射を開始し、可変入賞駆動部３２ａの動作中だけでなく停止中も照射を継続する。つまり、発光基板２４３の照射開始は開閉実行モード中だけでなく、遊技回中においても行われるとともに、開閉実行モード及び遊技回のいずれでもない状況においても行われる。これにより、可変入賞部３２に不正具が配置されているか否かの目視確認を簡単に行う機会が高められる。但し、発光基板２４３からの光の照射期間は上記のものに限定されることはなく、開閉実行モード中のみであってもよい。
【０１１４】
払出制御装置７８は、払出装置７７を通じた遊技球の払出の制御を司る払出制御基板１０１を具備している。払出制御基板１０１には、ＭＰＵ１０２が搭載されている。ＭＰＵ１０２には、ＲＯＭ１０３及びＲＷＭ１０４が内蔵されている。なお、以下の説明では、主制御装置７１に設けられたＭＰＵ９２、ＲＯＭ９３及びＲＷＭ９４と区別するために、主制御装置７１に設けられたＭＰＵ９２、ＲＯＭ９３及びＲＷＭ９４を主側ＭＰＵ９２、主側ＲＯＭ９３及び主側ＲＷＭ９４と称し、払出制御装置７８に設けられたＭＰＵ１０２、ＲＯＭ１０３及びＲＷＭ１０４を払出側ＭＰＵ１０２、払出側ＲＯＭ１０３及び払出側ＲＷＭ１０４と称する。
【０１１５】
払出側ＲＯＭ１０３は、払出側ＭＰＵ１０２により実行される各種の制御プログラムや固定値データを記憶している。払出側ＲＷＭ１０４は、払出側ＲＯＭ１０３内に記憶されている制御プログラムの実行に際して各種のデータ等を一時的に記憶する。また、払出側ＭＰＵ１０２又は払出制御基板１０１には、上記素子以外に、割込回路、タイマ回路、データ入出力回路などが設けられている。
【０１１６】
払出側ＭＰＵ１０２は払出装置７７と電気的に接続されている。当該払出装置７７には、タンク７６から払出装置７７に供給されている遊技球をそれよりも下流側へ流下しないように通過を阻止する状態と、当該遊技球を下流側へ送り出す状態とに切り換える回転体などの球止め部材を駆動する払出モータ７７ａが設けられているとともに、上記下流側へと送り出される遊技球を個別に検知する払出検知センサ７７ｂが設けられている。払出側ＭＰＵ１０２の出力側には払出モータ７７ａが電気配線を介して電気的に接続されているとともに、払出側ＭＰＵ１０２の入力側には払出検知センサ７７ｂが電気配線を介して電気的に接続されている。払出側ＭＰＵ１０２では、払出制御基板１０１に設けられたドライバ回路を通じて払出モータ７７ａに駆動信号を供給することで遊技球の払出を実行させるとともに、払出検知センサ７７ｂの検知結果に基づいて払出が完了した遊技球の個数を把握する。
【０１１７】
払出側ＭＰＵ１０２は、主側ＭＰＵ９２との間で通信を行うことに基づき、遊技球の払出を制御する。具体的には、主側ＭＰＵ９２では入賞検知センサ２１６、２３３の検知結果に基づいて賞球の発生に対応した入賞部への入賞を確認した場合に払出側ＭＰＵ１０２に向けて賞球コマンド（払出指令情報）を送信する。この場合、賞球コマンドには自身が賞球コマンドであることを示す情報及び賞球を実行すべき個数の情報が含まれており、複数ビットの情報として構成されている。当該賞球コマンドを受信することで、払出側ＭＰＵ１０２は、その賞球コマンドにより指示された個数の遊技球が払い出されるように払出モータ７７ａを駆動制御する。そして、払出検知センサ７７ｂの検知結果に基づいて、上記指示に係る個数の遊技球の払い出しが完了したと判断した際には、払出モータ７７ａの駆動制御を停止する。
【０１１８】
電源及び発射制御装置７９は電源及び発射制御基板１１１を備えており、当該電源及び発射制御基板１１１には、主制御装置７１及び払出制御装置７８を含めた各種機器に動作電力を供給する機能を有する電源回路１１２が設けられている。電源回路１１２には、電入時用電源部１１３と、電断時用電源部１１４とが設けられている。
【０１１９】
電入時用電源部１１３は、例えば遊技ホール等における商用電源（外部電源）に接続されており、その商用電源から供給される外部電力に基づいて主制御装置７１や払出制御装置７８等の各々に必要な動作電圧を生成するとともに、その生成した動作電圧を主制御装置７１や払出制御装置７８等に対して供給する。
【０１２０】
電入時用電源部１１３と主側ＭＰＵ９２との電力供給経路の途中位置には停電監視基板９６が設けられている。停電監視基板９６は、電入時用電源部１１３から供給される最大電圧である直流安定２４ボルトの電圧を監視する。そして、この電圧が２２ボルト未満になると電源遮断の発生と判断し、主側ＭＰＵ９２に対する停電信号（電断信号）の出力設定を停電（電源遮断）の発生に対応したものとする。
【０１２１】
電断時用電源部１１４はコンデンサからなり、パチンコ機１０の電源がＯＮ状態の場合（商用電源からの電力供給が行われている場合）に電入時用電源部１１３から供給される電力により充電される。また、パチンコ機１０の電源がＯＦＦ状態の場合や商用電源における停電発生時といった電源遮断状態（商用電源からの電力供給が遮断されている場合）では、電断時用電源部１１４から放電され主側ＲＷＭ９４及び払出側ＲＷＭ１０４に対して記憶保持用電力（バックアップ電力）が供給される。よって、かかる状況であっても、電断時用電源部１１４から記憶保持用電力が供給されている間は主側ＲＷＭ９４及び払出側ＲＷＭ１０４に記憶された情報が消去されることなく記憶保持される。
【０１２２】
電源及び発射制御基板１１１には、電源回路１１２以外にも、遊技球の発射制御を担う発射制御回路１１５が設けられている。発射制御回路１１５には、条件成立の送信回路１１６と、発射許可の受信回路１１７と、発射用ＩＣ１１８と、が設けられている。
【０１２３】
条件成立の送信回路１１６は、予め定められた遊技球の発射条件が成立している場合において主側ＭＰＵ９２に対して所定の信号形態の条件成立信号を送信する機能を有している。具体的には、発射制御回路１１５は、発射操作装置５５の環状のハンドル部が遊技者により触れられていることを検知するタッチセンサ５５ａと、ハンドル部を回転操作している状況であっても遊技球の発射を停止させるべく遊技者により手動操作される球止めスイッチ５５ｂと、が電気的に接続されている。
【０１２４】
条件成立の送信回路１１６は、タッチセンサ５５ａからハンドル部が遊技者により触れられていることを示す信号を受信するとともに、球止めスイッチ５５ｂから遊技者により手動操作されていないことを示す信号を受信している場合に、主側ＭＰＵ９２に対してＨＩレベルの条件成立信号（条件成立に対応した信号）を送信する。
【０１２５】
発射許可の受信回路１１７は、条件成立の送信回路１１６から主側ＭＰＵ９２に対してＨＩレベルの条件成立信号が送信されていることを一の条件として主側ＭＰＵ９２から送信されるＨＩレベルの発射許可信号（発射許可に対応した信号）を受信するとともに、当該発射許可信号を受信している場合にそれに対応した信号を発射用ＩＣ１１８に継続して供給する機能を有している。また、主側ＭＰＵ９２は、ＨＩレベルの条件成立信号の受信を開始するたびにＨＩレベルの発射許可信号の送信を新たに開始するとともにＨＩレベルの条件成立信号の受信が終了した場合にはＨＩレベルの発射許可信号の送信を終了する。
【０１２６】
発射用ＩＣ１１８は、発射許可の受信回路１１７からＨＩレベルの発射許可信号又はそれに対応した信号を受信している場合に、遊技球発射機構５１のソレノイド５４及び球送り装置５３のそれぞれに対して定期的に駆動信号を出力する機能を有している。この場合、発射用ＩＣ１１８は、パルス信号として各駆動信号を出力するとともに、その出力周期は０．６ｓｅｃとなっている。また、発射レール５２に１個の遊技球が供給された後に、当該遊技球が発射されるように、駆動信号の出力タイミングは球送り装置５３の方がソレノイド５４よりも早く設定されている。
【０１２７】
なお、発射操作装置５５には上記のとおりハンドル部が設けられており、当該ハンドル部の操作量が多いほどソレノイド５４による遊技球の発射強度が強くなる。この場合、発射操作装置５５にはハンドル部の操作量を検知するための操作量検知手段として可変抵抗器が設けられており、発射用ＩＣ１１８では当該可変抵抗器から入力する電圧を通じてソレノイド５４に供給する駆動信号の電圧を調整して発射強度を調整する。なお、当該調整機能が発射用ＩＣ１１８に設けられていることは必須ではなく、発射用ＩＣ１１８とソレノイド５４との信号経路の途中に調整回路が設けられている構成としてもよい。
【０１２８】
音声発光制御装置７２は、主側ＭＰＵ９２から受信したコマンドに基づき、表示ランプ部５８ａ、エラーランプ部５８ｂ及びスピーカ部５９を駆動制御するとともに、表示制御装置１２１にコマンドを送信する。表示制御装置１２１は、音声発光制御装置７２から受信した各種コマンドを解析し又は受信した各種コマンドに基づき所定の演算処理を行って、図柄表示装置４１における画像の表示を制御する。
【０１２９】
以上詳述した本実施の形態によれば、以下の優れた効果を奏する。
【０１３０】
光透過性部材で形成された入賞扉２２２の後方背面において検知用孔部２６６が前後方向に延びるように可変入賞検知センサ２３３を設置したことにより、可変入賞検知センサ２３３の検知用孔部２６６がパチンコ機１０前方から視認可能となり、ホール管理者は検知用孔部２６６に不正具が設置された場合に不正を発見しやすくなる。また、検知用孔部２６６の後方から前方に向けて光を照射するように発光基板２４３を設けたことにより、遊技ホールの管理者にとっては不正具を発見しやすくなる。その一方、発光基板２４３からの光は、入賞扉２２２を照らす機能も果たすため、遊技者にとっては上記光を装飾として認識し易くなり、可変入賞検知センサ２３３が目立ちづらくなる。よって、装飾性の低下を抑制しながら、上記不正行為の発見の容易化が図られる。
【０１３１】
上記のように可変入賞検知センサ２３３の後方から光を照射するようにした構成において、当該可変入賞検知センサ２３３として光学式のセンサではなく磁気検知式のセンサを用いている。これにより、可変入賞検知センサ２３３の検知精度を低下させないようにしながら、上記のような不正行為の発見の容易化が図られる。
【０１３２】
ＬＥＤ２４４を設けた発光基板２４３を検知用孔部２６６の後方に設けることで、検知用孔部２６６だけでなく大入賞口２２１全体を照らすことができ、不正具を確認し易くするとともに、遊技者が不正防止の構造に対して遊技者にとって目立たなくすることができる。
【０１３３】
発光基板２４３上に設置されたＬＥＤ２４４の光軸が検知用孔部２６６を通るようにＬＥＤ２４４を設置することで、遊技機外へ照射する光が極力遮られずにより広範囲を照射可能となり、可変入賞検知センサ２３３の検知用孔部２６６に不正具が設置された場合に発見しやすくなる。
【０１３４】
また、図１０に示すように、入賞扉２２２の前面に、入賞扉２２２のコネクタ部２６２と検知用孔部２６６の前方とならないハウジング２３５を前方から覆う領域及び可変入賞駆動部３２ａを前方から覆う領域に装飾を付すことで、コネクタや検知用孔部２６６に対して不正がなされた場合に、遊技機前面から視認可能としつつ、装飾性の低下が抑制されている。
【０１３５】
ベース部材２０１には、可変入賞部３２、上入賞部３３及び下入賞部３４が設けられている。ベース部材２０１内側の領域において、パチンコ機１０前後方向に積層するように各入賞部３２〜３４が一体形成されており、入賞ユニット３０の組み立て、パチンコ機１０への取付け等が容易となる。
【０１３６】
またベース部材２０１に上入賞部３３下入賞部３４が一体形成されることで入賞部間の上下方向の寸法を短くすることが可能となる。また、可変入賞検知センサ２３３を検知用孔部２６６が前後方向となるように配置することで可変入賞部３２において、可変入賞検知センサ２３３の厚み分だけ上下方向の寸法を短くすることが可能となる。これらにより入賞ユニット３０の上下方向において、遊技領域における割合を小さくすることが可能となる。遊技領域における入賞ユニット３０の占める領域を減らすことで、減らした分の領域をその他の表示装置、装飾、役物などの用途に利用できる。
【０１３７】
＜第２の実施の形態＞
本実施の形態では、開閉式ではない入賞部に対して、不正行為の発見の容易化に係る構成が適用されている。この構成について、図１３を参照しながら説明する。図１３は、入賞部２８０の縦断面図である。
【０１３８】
入賞部２８０には、遊技領域において上方を向くように形成された入賞口２８１に入賞した遊技球を遊技盤２８７の後方へと案内する案内通路２９１と、この後方へと案内された遊技球をパチンコ機１０の外部に向けて誘導するための排出通路２８９とが形成されている。また、排出通路２８９は、案内通路２９１の最下流部から鉛直下方に延びるように形成されており、その途中位置に入賞検知センサ２８４が設けられている。入賞検知センサ２８４は、磁気検知タイプの近接センサであり、上記可変入賞検知センサ２３３と同様に、ハウジング２９２を貫通する検知用孔部２９０を遊技球が通過した場合に検知信号を出力する。但し、入賞検知センサ２８４は、検知用孔部２９０が縦方向に延びるように設置されている。
【０１３９】
入賞検知センサ２８４に対してパチンコ機１０後側の位置には、発光基板２８５が搭載されている。発光基板２８５は、複数のＬＥＤ２８６が設置された板面を入賞検知センサ２８４側に向けて設置されている。
【０１４０】
ＬＥＤ２８６の前方に配置されている部材は、当該ＬＥＤ２８６から照射された光を、パチンコ機１０前方から窓部２９３を通じて視認可能となるように光透過性となっている。具体的には、案内通路２９１及び排出通路２８９を区画形成する通路形成部２８２は、光透過性を有するように無色透明に形成されているとともに、遊技盤２８７においてＬＥＤ２４４の前方領域は光透過性を有するように光透過壁部２８８が設けられている。なお、光透過壁部２８８は、合成樹脂を用いて無色透明に形成されているが、ＬＥＤ２８６からの光を透過可能であれば、有色透明に形成されていてもよい。
【０１４１】
上記構成であることにより、遊技ホールの管理者にとっては、入賞検知センサ２８４に対して不正具が配置されているか否かを確認し易くなる。また、遊技者は、光透過壁部２８８を発光領域として認識することが期待され、装飾性の低下が抑制される。
【０１４２】
特に、光透過壁部２８８は、入賞部２８０において遊技盤２８７の前面よりもパチンコ機１０前方へと突出した部位の真下位置に設けられており、さらに入賞部２８０は遊技者の目の高さ位置よりも低い位置に設置されている。したがって、遊技者が光透過壁部２８８を正面から目視する機会が低減され、この点からも装飾性の低下が抑制される。
【０１４３】
＜第３の実施の形態＞
以下の説明では、上記第１の実施の形態と同様の構成については基本的にその説明を省略する。図１４は入賞ユニット３０の背面図であり、発光基板２４３及び基板カバー２４５を外した状態を示す。
【０１４４】
鉛直方向に延びる下入賞用の排出通路２１９の途中には、通路方向を横方向に曲げるようにコーナー部２５０が形成されている。これにより、排出通路２１９は、コーナー部２５０の上流側及び下流側のいずれもが鉛直方向に延びているものの、それら通路領域が横方向にずれた状態となっている。よって、排出通路２１９を流下する遊技球を、コーナー部２５０における通路壁との接触により減圧することが可能となる。また、排出通路２１９の最下流部から挿入された不正具は、コーナー部２５０に対して下方から当接することで、それよりも上流側に侵入させようとする行為が行いづらくなる。
【０１４５】
また、コーナー部２５０において、下流側の鉛直領域２５２の上方部分には、当該鉛直領域２５２を上方へと延長させるように逃げ部２５１が形成されており、当該逃げ部２５１は入賞ユニット３０の外部に開放されている。これにより、上記不正具が逃げ部２５１を通じて入賞ユニット３０の外部に排出されることが期待される。
【０１４６】
＜第４の実施の形態＞
本実施の形態では、可変入賞検知センサ２３３の設置の仕方が上記第１の実施の形態と異なっている。上記第１の実施の形態との相違点について、図１５を参照しながら説明する。図１５は、本実施の形態における大入賞口２２１及びその周辺を拡大して示す正面図である。なお、図１５において、上記第１の実施の形態と同様の構成については、同一の図番を付すとともに、基本的にその説明を省略する。
【０１４７】
本実施の形態では、上記第１の実施の形態と同様に、検知用孔部２６６が前後方向に延びるように可変入賞検知センサ２３３が起立させて設けられているが、上記第１の実施の形態と異なり、可変入賞検知センサ２３３はその全体が大入賞口２２１の後方領域に含まれているのではなく、検知用孔部２６６を含めた一部のみが大入賞口２２１の後方領域に含まれている。詳細には、検知用孔部２６６は大入賞口２２１の横方向の端部側に対してその後方に位置しており、ハウジング２３５においてセンサ基板を収容した側は、大入賞口２２１の後方領域の外側に位置している。これにより、コネクタ部２６２に対する不正行為の発見の容易化は図れなくなるが、検知用孔部２６６に対する不正行為の発見の容易化を、装飾性の低下を抑制しながら実現することが可能となる。
【０１４８】
また、可変入賞検知センサ２３３は、ハウジング２３５においてセンサ基板を収容した領域が検知用孔部２６６に対して横並びとなるように設置されている。これにより、センサ基板を収容した領域が検知用孔部２６６に対して縦並びとなるように可変入賞検知センサ２３３を設置する構成に比べて、入賞ユニット３０の小型化が図られる。
【０１４９】
＜第５の実施の形態＞
以下、遊技機の一種である回胴式遊技機、具体的にはスロットマシンのメダル投入部に第１の実施の形態と同様の構成を適用した場合の実施の形態を、図面に基づいて詳細に説明する。
【０１５０】
先ず、図１６を参照しながらスロットマシン３１０の基本的な構成を説明する。図１６はスロットマシン３１０の正面図である。
【０１５１】
図１６に示すように、各リール３４２Ｌ，３４２Ｍ，３４２Ｒを前方から視認可能とする窓部を有する遊技パネル３３０の下方左側には、各リール３４２Ｌ，３４２Ｍ，３４２Ｒを一斉（同時である必要はない）に回転開始させるために操作されるスタートレバー３７１が設けられている。また、スタートレバー３７１の右側には、回転している各リール３４２Ｌ，３４２Ｍ，３４２Ｒを個別に停止させるために操作されるボタン状のストップスイッチ３７２，３７３，３７４が設けられている。また、リール３４２Ｌ，３４２Ｍ，３４２Ｒの下方右側には、遊技媒体としてのメダルを投入するためのメダル投入部４０１が設けられている。
【０１５２】
メダル投入部４０１について、図１７を用いて説明する。図１７は図１６のＡ−Ａ線部分断面図である。
【０１５３】
メダル投入部４０１はメダルを投入するメダル投入口３７５及びメダルが流下する案内通路４０２を有している。案内通路４０２は、メダル投入口３７５と連通しており、前部材４０３と後部材４０４とにより鉛直下方に通路が規定されており、その途中位置に第１投入メダル検出センサ４０５及び第２投入メダル検出センサ４０６が流下方向に並ぶようにして設けられている。
【０１５４】
これら投入メダル検出センサ４０５，４０６は、いずれも光学式であり、案内通路４０２の流下方向に並ぶようにして近接配置されている（少なくとも１時期において同一メダルを同時に検出する状態が生じる程度の近接状態とする）。これら各検出センサ４０５，４０６により案内通路４０２のメダルの通過が順次検出される。そして、各投入メダル検出センサ４０５，４０６におけるメダルの検出順序が正規の検出順序となった場合に、図示しない制御装置にて一枚のメダルが投入されたと判定される。
【０１５５】
投入メダル検出センサ４０５，４０６の後方には、発光基板４０７が設けられており、発光基板４０７上にはスロットマシン３１０前方へ光を照射するＬＥＤ４０７ａ，４０７ｂ，４０７ｃが設けられている。ＬＥＤ４０７ａは、第１投入メダル検出センサ４０５の上流部分に光を照射するように設けられている。また、ＬＥＤ４０７ｂは、案内通路４０２における第１投入メダル検出センサ４０５と第２投入メダル検出センサ４０６との間の領域に光を照射するように設けられている。また、ＬＥＤ４０７ｃは、第２投入メダル検出センサ４０６の下流部分に光を照射する位置に設けられている。
【０１５６】
前部材４０３及び後部材４０４は、ＬＥＤ４０７ａ〜４０７ｃから照射された光を透過させることが可能なように光透過性に形成されている。また、投入メダル検出センサ４０５及び前部材４０３の前方には、ＬＥＤ４０７ａ〜４０７ｃから照射された光を透過させることが可能なように、光透過性に形成された透明外装部材４０８が設けられている。これにより、遊技ホールの管理者にとっては各投入メダル検出センサ４０５，４０６の位置に不正具が配置されているか否かの発見の容易化が図られる。その一方、遊技者にとっては、上記ＬＥＤ４０７ａ〜４０７ｃからの光が装飾として認識され易くなり、装飾性の低下が抑制される。
【０１５７】
ここで、各投入メダル検出センサ４０５，４０６はそれぞれ、発光部と受光部とを有しており、投入メダル検出センサ４０５，４０６の後方に設けられたＬＥＤ４０７ａ〜４０７ｃによりスロットマシン３１０前方に光が照射されている。そのため、第１投入メダル検出センサ４０５の受光部４０５ａ及び第２投入メダル検出センサ４０６の受光部４０６ａは、各ＬＥＤ４０７ａ〜４０７ｃの影響が少なくなるように配置されている。具体的には、各ＬＥＤ４０７ａ〜４０７ｃの発光面と各受光部４０５ａ，４０６ａの受光面とがスロットマシン３１０の前方を向くように配置されている。各発光部４０５ｂ，４０６ｂは、発光面が各受光部４０５ａ，４０６ａの受光面に対してスロットマシン３１０前側にて向き合うようにして配置されている。
【０１５８】
なお、投入メダル検出センサ４０５，４０６としてダブルセンサを備える構成に限定されることはなく、一の投入メダル検出センサのみ設けられたスロットマシンに対して本発明を適用してもよい。
【０１５９】
上記構成により、遊技媒体の検出センサがフォトセンサなど光学式のものであっても、ＬＥＤ４０７ａ〜４０７ｃの投入メダル検出センサ４０５，４０６の影響を少なくすることができ、第１の実施の形態における構成を用いて不正を防止可能となる。
【０１６０】
＜他の実施の形態＞
なお、上述した各実施の形態の記載内容に限定されず、本発明の趣旨を逸脱しない範囲内で種々の変形改良が可能である。例えば以下のように変更してもよい。ちなみに、以下の別形態の構成を、上記各実施の形態の構成に対して、個別に適用してもよく、組み合わせて適用してもよい。また、以下の別形態の構成を、例示した実施の形態とは異なる実施の形態に対して適用してもよい。
【０１６１】
（１）上記第１又は第４の実施の形態において、大入賞口２２１に対して後方にて重なる領域に可変入賞検知センサ２３３が設けられているが、その他の検知センサを大入賞口２２１に対して後方に重なる領域に設けてもよい。例えば、下入賞検知センサ２１６を大入賞口２２１に対して後方にて重なる領域に設ける構成としてもよい。具体的には、大入賞口２２１に対して後方にて重なる領域内に下入賞検知センサ２１６の下流側の端部が含まれる構成としてもよい。ここで、下入賞用の排出通路２１９は上下方向に形成されているため、下入賞検知センサ２１６の下流側の端部は大入賞口２２１の下端部よりも上方に配置されることが好ましい。下入賞検知センサ２１６の下流側の端部を大入賞口２２１の下端部よりも上方に配置することで、下入賞用の排出通路２１９の下方から下入賞検知センサ２１６の貫通孔２７０に対して不正具が挿入された場合に発見し易くなる。
【０１６２】
また、大入賞口２２１の後方にて重なる領域に可変入賞検知センサ２３３を設けることは必須では無く、下入賞検知センサ２１６のみを設ける構成としてもよいが、可変入賞検知センサ２３３と下入賞検知センサ２１６の両方を設ける構成としたほうが、両方の入賞検知センサに対して不正の発見が容易となるため好ましい。可変入賞検知センサ２３３と下入賞検知センサ２１６を設ける場合に、大入賞口２２１の後方領域にて可変入賞検知センサ２３３の検知用孔部２６６と前後方向に重なる位置に下入賞検知センサ２１６の本体部２６９の一部が設置されたり、下入賞検知センサ２１６の下流側の端部と前後方向に重なる位置に可変入賞検知センサ２３３のハウジング２３５の一部が設置されたりすることにより、発光基板２４３の照射光を遮らないように両方の入賞検知センサを配置することが望ましい。
【０１６３】
また、大入賞口２２１に対して後方に重なる領域において、下入賞用の排出通路２１９の途中にて前後方向に曲げるように排出通路２１９を形成することで、下入賞検知センサ２１６の貫通孔２７０の軸線が前後方向となるように配置する構成としてもよい。この場合に、可変入賞検知センサ２３３の検知用孔部２６６と前後方向に重なる位置に下入賞検知センサ２１６の本体部２６９の一部が設置されたり、下入賞検知センサ２１６の貫通孔２７０と前後方向に重なる位置に可変入賞検知センサ２３３のハウジング２３５の一部が設置されたりすることにより、発光基板２４３の照射光を遮らないように両方の入賞検知センサを配置することが望ましい。このように貫通孔２７０の軸線が前後方向となるように下入賞検知センサ２１６を設置することにより、前方から貫通孔２７０を視認し易くなり、貫通孔２７０の下流側に不正具が挿入された場合に発見し易くなる。
【０１６４】
また上記構成は、大入賞口２２１に限定されるものではなく、検知手段の前方領域に光透過領域が存在し、前方から検知手段が視認可能となっている構成であれば適用してもよい。
【０１６５】
（２）上記第１の実施の形態において、可変入賞駆動部３２ａによる電気的な開閉以外に、入賞ユニット３０の外側から手動で入賞扉２２２を開閉可能となる構造としてもよい。具体的な構成としては、入賞扉２２２の前面側に突出する持ち手部を設ける構成が考えられる。この場合、不正らしき行為を発見した場合に、可変入賞駆動部３２ａを駆動させることなく、手動で入賞扉２２２を開放でき、容易に入賞領域を視認することが可能となる。
【０１６６】
（３）上記第１の実施の形態において、大入賞口２２１の形状は横長の矩形状をなしており、横幅として遊技球２つ分以上の幅を有し、縦幅として遊技球１つ分の幅を有しているもの以外に、遊技球を受け入れることが可能であれば、楕円形状などでもよい。また縦幅も１つ分以上の幅を有する構成としてもよい。具体的な構成としては、可変入賞検知センサ２３３の検知用孔部２６６に対してより大きな形状とすることで、検知用孔部２６６を目立たなくすることができる。
【０１６７】
（４）上記第４の実施の形態において、検知用孔部２６６と、センサ基板を収容している領域とが横方向ではなく、縦方向に並ぶように可変入賞検知センサ２３３を設置してもよい。この場合も、背面に設置されたＬＥＤ２４４の光によって、大入賞口２２１のより広範囲を照射することが可能となり、視認性が向上する。
【０１６８】
（５）上記第１の実施の形態において、可変入賞検知センサ２３３における検知用孔部２６６及びコネクタ部２６２とは異なる領域の視認性を低下させるための装飾を、光を透過可能に形成されたゲート部材２２３に付与してもよい。
【０１６９】
（６）上記第１の実施の形態において、入賞扉２２２に付される装飾は、光を透過可能である構成としてもよい。この場合、ハウジング２３５において検知用孔部２６６やコネクタ部２６２以外の領域の視認性を低下させながら、装飾性をより高めることが可能となる。
【０１７０】
（７）上記第１の実施の形態において、発光基板２４３の制御対象は、主制御装置７１に限定されることはなく、音声発光制御装置７２や表示制御装置１２１であってもよい。
【０１７１】
（８）上記第１の実施の形態において、発光基板２４３は可変入賞検知センサ２３３の後方に設けられていることは必須ではなく、可変入賞検知センサ２３３の上方や下方に設けられているが、反射板などを用いて結果的に可変入賞検知センサ２３３に対して後方から光が照射される構成としてもよい。
【０１７２】
（９）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも本発明を適用できる。
【０１７３】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０１７４】
＜上記各実施の形態から抽出される発明群について＞
以下、上述した各実施の形態から抽出される発明群の特徴について、必要に応じて効果等を示しつつ説明する。
【０１７５】
＜特徴Ａ群＞
特徴Ａ１．遊技媒体を受け入れる受入手段（第１の実施の形態における可変入賞部３２、第２の実施の形態における入賞部２８０、第４の実施の形態における可変入賞部３２、第５の実施の形態におけるメダル投入部４０１）と、
当該受入手段により受け入れられた遊技媒体を所定の方向に案内する案内通路（第１の実施の形態における導入用底部２６３、第２の実施の形態における案内通路２９１、第４の実施の形態における導入用底部２６３、第５の実施の形態における案内通路４０２）と、
当該案内通路に設けられ、通過する遊技媒体を検知する検知手段（第１の実施の形態における可変入賞検知センサ２３３、第２の実施の形態における入賞検知センサ２８４、第４の実施の形態における可変入賞検知センサ２３３、第５の実施の形態における投入メダル検出センサ４０５，４０６）と、
当該検知手段に対して後方から光が照射されるようにする発光手段（第１の実施の形態におけるＬＥＤ２４４、第２の実施の形態おけるＬＥＤ２８６、第４の実施の形態におけるＬＥＤ２４４、第５の実施の形態におけるＬＥＤ４０７ａ，４０７ｂ，４０７ｃ）と、
前記検知手段に対して前記光の照射方向の先側に設けられ、当該光を透過可能であるとともに前記検知手段を前方から視認可能とする光透過手段（第１の実施の形態における入賞扉２２２、ゲート部材２２３、第１案内部材２２４、第２案内部材２３２、及び排出部材２３８、第２の実施の形態における通路形成部２８２及び光透過壁部２８８、第４の実施の形態における入賞扉２２２、ゲート部材２２３、第１案内部材２２４、第２案内部材２３２及び排出部材２３８、第５の実施の形態における通路形成部２８２及び光透過壁部２８８）と、
を備えていることを特徴とする遊技機。
【０１７６】
特徴Ａ１によれば、光透過手段によって前方から検知手段を視認可能としたことにより、ホールの管理者は検知手段に不正具が設置された場合に不正を発見しやすくなる。また、検知手段の後方から前方に向けて光を照射するように発光手段を設けたことにより、遊技ホールの管理者にとっては不正具を発見しやすくなる。その一方、発光手段からの光は受入手段を照らす機能も果たすため、遊技者にとっては上記光を装飾として認識し易くなり、検知手段が目立ちづらくなる。よって、装飾性の低下を抑制しながら、上記不正行為の発見の容易化が図られる。
【０１７７】
特徴Ａ２．前記検知手段は、前記案内通路の途中位置に検知領域（第１の実施の形態における検知用孔部２６６、第２の実施の形態における検知用孔部２９０、第４の実施の形態における検知用孔部２６６、第５の実施の形態における投入メダル検出センサ４０５，４０６）を有し、当該検知領域の遊技媒体の通過を検知するものであり、
前記光透過手段は、前記検知手段の前方において前記検知領域の前方領域（第１の実施の形態における窓部２３４、第２の実施の形態における窓部２９３、第４の実施の形態における窓部２３４、第５の実施の形態における透明外装部材４０８の設けられた範囲）を含む範囲に設けられていることを特徴とする特徴Ａ１に記載の遊技機。
【０１７８】
特徴Ａ２によれば、光透過手段により検知領域の前方領域が前方から視認可能となるため、検知領域に不正具が設置された場合に遊技ホールの管理者は不正具を発見しやすくなる。
【０１７９】
特徴Ａ３．前記検知手段は、遊技媒体の検知結果を出力するために利用されるコネクタ部（第１の実施の形態におけるコネクタ部２６２）を有しており、
前記光透過手段は、前記検知手段の前方において前記検知領域の前方領域及び前記コネクタ部の前方領域を含む範囲（第１の実施の形態における窓部２３４）に設けられていることを特徴とする特徴Ａ２に記載の遊技機。
【０１８０】
特徴Ａ３によれば、検知領域だけでなくコネクタ部に対する不正の発見も容易となる。
【０１８１】
特徴Ａ４．前記検知手段は、遊技媒体の検知結果を出力するために利用されるコネクタ部（第４の実施の形態におけるコネクタ部２６２）を有しており、
前記光透過手段は、前記検知手段の前方において前記検知領域の前方領域を含む一方、前記コネクタ部の前方領域を含まない範囲（第４の実施の形態における窓部２３４）に設けられていることを特徴とする特徴Ａ２に記載の遊技機。
【０１８２】
特徴Ａ４によれば、光透過手段がコネクタ部の前方領域を含まれない範囲に設けられていることで、検知手段に対する不正行為の発見の容易化を、装飾性の低下を抑制しながら実現することが可能となる。
【０１８３】
特徴Ａ５．前記検知領域は、前記検知手段のハウジング（第１の実施の形態におけるハウジング２３５、第４の実施の形態における２３５）を貫通させて形成された検知用孔部（第１の実施の形態における検知用孔部２６６、第２の実施の形態における検知用孔部２９０、第４の実施の形態における検知用孔部２６６）であり、
前記検知手段は、前記検知用孔部の軸線方向が垂直方向に対して交差する方向となるように設けられていることを特徴とする特徴Ａ２乃至Ａ４のいずれか１に記載の遊技機。
【０１８４】
特徴Ａ５によれば、検知用孔部の軸線方向が垂直方向に対して交差する方向となるように設けられていることにより、前方から検知用孔部を視認し易くなる。そのため、検知用孔部の下流側に不正具が挿入された場合に発見しやすくなる。
【０１８５】
特徴Ａ６．前記発光手段は、前記検知用孔部を通じて前記光透過手段に光を照射可能となるように設けられていることを特徴とする特徴Ａ５に記載の遊技機。
【０１８６】
特徴Ａ６によれば、発光手段により照射された光は検知用孔部を通過し、光透過手段に光を照射するため、前方へ照射する光が極力遮られずにより広範囲を照射可能となり、検知用孔部に不正具が設置された場合に発見しやすくなる。また、装飾性の低下も抑えられる。
【０１８７】
特徴Ａ７．前記案内通路は、前記検知領域よりも下流側に通路方向を曲げる曲げ部（第１の実施の形態における通路領域２２６ｂ、第３の実施の形態におけるコーナー部２５０、第４の実施の形態における通路領域２２６ｂ）を有しており、
前記発光手段は、前記曲げ部よりも後方から前記検知手段に向けて光を照射するように設けられていることを特徴とする特徴Ａ５又はＡ６に記載の遊技機。
【０１８８】
特徴Ａ７によれば、曲げ部が設けられていることにより、検知領域の下流側に不正具を設けづらくなっている。また曲げ部よりも後方から検知手段に向けて光を照射することで、検知手段の下流側に不正具が設置された場合に発見しやすくなる。
【０１８９】
特徴Ａ８．前記光透過手段は、前記検知手段のハウジング（第１の実施の形態におけるハウジング２３５、第４の実施の形態におけるハウジング２３５）における前記検知用孔部とは異なる領域に対して、その前方にて並ぶ所定の領域（第１の実施の形態における入賞扉２２２、ゲート部材２２３、第４の実施の形態における入賞扉２２２、ゲート部材２２３）に装飾が付されていることを特徴とする特徴Ａ２乃至Ａ７のいずれか１に記載の遊技機。
【０１９０】
特徴Ａ８によれば、光透過手段において検知用孔部とは異なる領域に対して装飾を設けることで、検知用孔部に対する不正行為の発見の容易化を、装飾性の低下を抑制しながら実現することが可能となる。
【０１９１】
特徴Ａ９．前記光透過手段は、前記受入手段の開口部分（第１の実施の形態における大入賞口２２１、第４の実施の形態における大入賞口２２１）を開閉する開閉部材（第１の実施の形態における入賞扉２２２、第４の実施の形態における入賞扉２２２）であることを特徴とする特徴Ａ１乃至Ａ８のいずれか１に記載の遊技機。
【０１９２】
特徴Ａ９によれば、受入手段の開口部分を開閉することが可能となり、不正らしき行為を発見した場合に、受入手段を開放することで検知領域に対して視認性を向上させることが可能となる。
【０１９３】
＜特徴Ｂ群＞
特徴Ｂ．遊技球が流下する遊技領域に設けられ、当該遊技領域を流下する遊技球が入球可能な入球部（第１の実施の形態における上入賞部３３、下入賞部３４及び可変入賞部３２）を縦方向に複数有する入賞ユニット（第１の実施の形態における入賞ユニット３０）と、
前記複数の入球部のうち特定入球部（第１の実施の形態における可変入賞部３２）に対して設けられ、当該特定入球部に入球した遊技球を検知する検知手段（第１の実施の形態における可変入賞検知センサ２３３）と、
を備え、
前記特定入球部は、その入球口（第１の実施の形態における規制用孔部２３０）が前方を向くように形成されており、
当該検知手段は、当該検知手段のハウジング（第１の実施の形態におけるハウジング２３５）を貫通するように形成されている検知用孔部（第１の実施の形態における検知用孔部２６６）を有しており、さらに当該検知用孔部が前記入球口から続くように下り傾斜させて形成された通路領域（第１の実施の形態における通路領域２２６ａ）の一部を構成するように当該検知用孔部の軸線方向が垂直方向に対して交差する方向となるように設置されていることを特徴とする遊技機。
【０１９４】
特徴Ｂによれば、上下方向に並ぶ複数の入賞口を一体形成することで部品数の削減や入賞口間距離の削減等が可能となり、入賞口間の上下方向のスペースを縮小することができる。さらに検知手段の検知用孔部が前方を向く入球口から続くように形成された通路領域の一部を構成するように設けられていることで、検出センサの厚み分だけ上下方向の寸法を縮小することができ、遊技領域のスペースを有効利用することができる。
【０１９５】
以下に、以上の各特徴を適応し得る遊技機の基本構成を示す。
【０１９６】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０１９７】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【符号の説明】
【０１９８】
１０…パチンコ機、３０…入賞ユニット、３２…可変入賞部、３３…上入賞部、３３…下入賞部、２０１…ベース部材、２１６…下入賞用の入賞検知センサ、２２１…大入賞口、２２２…入賞扉、２２３…ゲート部材、２２４…第１排出部材、２２６ａ…通路領域、２２６ｂ…通路領域、２３３…可変入賞検知センサ、２３２…第２案内部材、２３４…窓部、２３８…排出部材、２４３…発光基板、２４４…ＬＥＤ、２３５…ハウジング、２６２…コネクタ部、２６６…検知用孔部、２８２…通路形成部、２８８…光透過用壁部、２９１…案内通路、２６３…導入用底部、２９３…窓部、４０１…メダル投入部、４０２…案内通路部、４０５，４０６…投入メダル検出センサ、４０８…透明外装部材。
【図１】
0006036929.tif 000002
【図２】
0006036929.tif 000003
【図３】
0006036929.tif 000004
【図４】
0006036929.tif 000005
【図５】
0006036929.tif 000006
【図６】
0006036929.tif 000007
【図７】
0006036929.tif 000008
【図８】
0006036929.tif 000009
【図９】
0006036929.tif 000010
【図１０】
0006036929.tif 000011
【図１１】
0006036929.tif 000012
【図１２】
0006036929.tif 000013
【図１３】
0006036929.tif 000014
【図１４】
0006036929.tif 000015
【図１５】
0006036929.tif 000016
【図１６】
0006036929.tif 000017
【図１７】
0006036929.tif 000018